(57)【要約】【課題】測定対象者の負担を軽減することができるロボットを実現する。【解決手段】本発明の一態様に係るロボット（１、１ａ）は、測定対象者のバイタルサインを測定する測定器（１２）が搭載されたアーム（１１）と、制御部（１０）と、備え、前記制御部は、前記測定器が前記測定対象者に近づくように前記アームを制御する近接処理と、前記近接処理の後、前記測定器に前記測定対象者のバイタルサインを測定させる測定処理と、を実行する。【選択図】図１
2020121353.tif 000002
【特許請求の範囲】
【請求項１】
測定対象者のバイタルサインを測定する測定器が搭載されたアームと、
制御部と、を備え、
前記制御部は、
前記測定器が前記測定対象者に近づくように前記アームを制御する近接処理と、
前記近接処理の後、前記測定器に前記測定対象者のバイタルサインを測定させる測定処理と、を実行することを特徴とするロボット。
【請求項２】
前記制御部は、前記近接処理において、前記測定対象者に応じた位置に前記測定器が位置するように、前記アームを制御することを特徴とする請求項１に記載のロボット。
【請求項３】
走行部を更に備え、
前記制御部は、前記近接処理の前に、または、前記近接処理と並行して、前記測定対象者に応じた方向から前記測定対象者に近づくように前記走行部を制御することを特徴とする請求項１又は２に記載のロボット。
【請求項４】
前記制御部は、前記近接処理の後、前記測定処理の前に、前記測定器の位置を調整するように前記アームを制御する調整処理を実行することを特徴とする請求項１〜３のいずれか一項に記載のロボット。
【請求項５】
前記アームは、
複数の関節部分と、
前記複数の関節部分のそれぞれについて固定化するか否かを制御可能な機構と、
前記複数の関節部分のうち固定化されていない関節部分を曲げるワイヤと
を備えていることを特徴とする請求項１〜４の何れか一項に記載のロボット。
【発明の詳細な説明】
【技術分野】
【０００１】
本発明は、ロボットに関する。
【背景技術】
【０００２】
測定対象者の生体データの測定を補助するロボットが従来技術として知られている。特許文献１では、測定対象者が測定器を装着して生体データを測定する時間になったら、測定対象者との会話で生体データの測定を測定対象者に促す等の機能を有するロボットが記載されている。
【先行技術文献】
【特許文献】
【０００３】
【特許文献１】特開平２００６−２８５４２５号公報（２００６年１０月１９日公開）
【発明の概要】
【発明が解決しようとする課題】
【０００４】
しかしながら、上述のような従来技術は、体温等の測定を行う場合に、測定対象者が、測定器を取りに行く必要や準備する必要があり、負担となるという問題がある。
【０００５】
本発明の一態様は、上記の問題を鑑みてなされたものであり、測定対象者の負担を軽減することができるロボットを実現することを目的とする。
【課題を解決するための手段】
【０００６】
上記の課題を解決するために、本発明の一態様に係るロボットは、測定対象者のバイタルサインを測定する測定器が搭載されたアームと、制御部と、を備え、前記制御部は、前記測定器が前記測定対象者に近づくように前記アームを制御する近接処理と、前記近接処理の後、前記測定器に前記測定対象者のバイタルサインを測定させる測定処理と、を実行する。
【発明の効果】
【０００７】
本発明の一態様によれば、測定対象者の負担を軽減することができるロボットを実現できる。
【図面の簡単な説明】
【０００８】
【図１】実施形態１に係るロボットの機能ブロック図である。
【図２】ロボットの外観図である。
【図３】実施形態１に係る処理の流れを示すフローチャートである。
【図４】実施形態２に係る処理の流れを示すフローチャートである。
【図５】実施形態３に係るロボットの機能ブロック図である。
【図６】実施形態３に係る処理の流れを示すフローチャートである。
【図７】アームが有する機構の一例を示す図である。
【図８】アームの関節部分を固定化する機構の一例を示す断面図である。
【発明を実施するための形態】
【０００９】
本発明の実施形態について図１〜図８を参照して説明すれば以下の通りである。
【００１０】
〔実施形態１〕
以下、本発明の一実施形態について、図１〜図３を参照して説明すれば以下の通りである。本実施形態においては、バイタルサインの測定対象である測定対象者に接近して測定器を差し出すロボットについて説明する。
【００１１】
〔１．ロボット１の構成〕
図１及び図２を参照して本実施形態の構成について説明する。図１は、本実施形態に係るロボット１の機能ブロック図である。また、図２は、ロボット１の外観図である。
【００１２】
ロボット１は、例えば施設内で医療介護等の用途に用いられるロボットであって、制御部１０、アーム１１、検知部１３、走行部１４、通信部１８及び記憶部１９を備えている。
【００１３】
制御部１０は、ロボット１全体を統括する制御装置である。制御部１０は、例えば、測定器１２が測定対象者に近づくようにアーム１１を制御する近接処理と、測定器１２に測定対象者のバイタルサインを測定させる測定処理とを実行する。
【００１４】
また、制御部１０は、検知部１３の検知結果に含まれる人物を識別する。制御部１０が人物を識別する方法は、従来技術を用いてもよい。また、制御部１０が、ニューラルネットワーク機構を備え、人物の識別について機械学習を行う構成でもよい。
【００１５】
また、制御部１０は、図示しないスピーカー等を介して、例えば測定対象者の姿勢変更を促すアナウンスを行う機能を有していてもよい。
【００１６】
アーム１１は、１又は複数の関節を有するロボットアームであって、測定器１２を備えている。また、アーム１１は、ロボット１が狭い場所を通れるように、コンパクトに折り畳むことができることが望ましい。また、アーム１１の詳細な構成例については後述する。
測定器１２は、測定対象者のバイタルサインを測定する機器である。上述したバイタルサインとは、測定対象者の体温、血圧、脈拍、呼吸、或いは血中酸素濃度等に例示される、測定対象者の生体活動に関する情報である。また、測定器１２が位置する場所は、特に限定されないが、アーム１１の先端付近であることが望ましい。
【００１７】
また、測定器１２は、測定部位に対して、非接触検知と接触検知との一方又は双方が可能であってもよい。非接触検知の一例としては、身体の表面の体温、呼吸変動、又は外観から推定可能な情報の検知等が挙げられる。接触検知の一例としては、脈拍、血圧、又は血中酸素濃度等が挙げられる。
【００１８】
検知部１３は、ロボット１の周囲の人物を検知する。以下、検知部１３は、ロボット１の周囲を撮像するカメラを備えるものとして説明する。
【００１９】
走行部１４は、ロボット１を移動させる機能を有する車輪等の部材である。なお、走行部１４は、例えばキャタピラ等によって実現される構成でもよい。
【００２０】
通信部１８は、サーバ等の外部の装置との通信処理を行う。記憶部１９は、各種データを保持する記憶装置である。記憶部１９は、上述した機械学習における各種パラメータ等、制御部１０が人物を識別する場合に参照する情報、各人物の身長や体重及び負傷箇所等を示す情報、並びにバイタルサインの測定結果等を、例えばデータベース形式で格納する。
【００２１】
なお、ロボット１が備える各部材は単数であることに限定されず、複数の当該部材を備える構成でもよい。また、各部材における上述した処理の一部が、他の部材によって実行されてもよい。また、ロボット１が備える各部材における上述した一部の処理が、当該外部の装置によって実行される構成でもよい。
【００２２】
〔２．処理の流れ〕
以下、ロボット１が測定対象者に接近して測定器１２を差し出す処理の流れについて、図１及び図３を参照して説明する。図３は、本実施形態に係る処理の流れを示すフローチャートである。
【００２３】
（ステップＳ１０１）
ステップＳ１０１において、制御部１０は、検知部１３にロボット１の周囲の画像を撮像させる。そして、一態様において、予め設定された測定対象者の方へ移動するように走行部１４を制御してロボット１を適宜移動させる。例えば、記憶部１９に各人のベッドの位置を示す情報が格納されており、制御部１０が、当該情報を参照してロボット１を移動させる方向を決定してもよい。また、他の態様において、予め設定された巡回ルートに従って移動するように走行部１４を制御してロボット１を適宜移動させてもよい。
【００２４】
なお、制御部１０が検知部１３にロボット１の周囲の画像を撮像させて周囲の物体を認識する処理は、以降のステップにおいても継続する。
【００２５】
また、各測定対象者におけるバイタルサインの測定頻度は互いに異なっていてもよい。例えば、深刻な健康状態にある測定対象者に対しては、そうでない測定対象者によりも高い頻度でバイタルサインの測定を行ってもよい。
【００２６】
（ステップＳ１０２）
続いて、ステップＳ１０２において、制御部１０は、ステップＳ１０１における検知部１３の検知結果、つまり撮像画像と、記憶部１９とを参照して、当該撮像画像内に測定対象者が存在するか否かを判定する。撮像画像内の測定対象者を特定した場合は、続いてステップＳ１０３の処理が実行され、そうでない場合は、再度ステップＳ１０１の処理が実行される。
【００２７】
また、本ステップ又は以降の任意のタイミングにおいて、制御部１０は、測定対象者の顔に応じた判定、又は呼吸状態についての判定を行ってもよい。ここで、顔に応じた判定とは、例えば、顔によって人物を識別する判定、又は表情、顔色、若しくは顔の表面の体温等の異常の有無についての判定等を意味する。また、呼吸状態についての判定とは、例えば呼吸音、又は胸郭領域若しくは胸郭変動の異常の有無についての判定を意味する。
【００２８】
また、制御部１０は、検出した測定対象者の顔色と、記憶部１９に格納された、健康状態にある当該測定対象者の顔色、又は健康状態にない当該測定対象者の顔色とを比較し、判定結果、つまり顔色の状態又は良し悪しを記憶部１９に格納してもよい。
【００２９】
また、制御部１０は、顔によって推定した人物を確認するための声掛けであって、例えば「〜さんですか？」と名前を呼びかける声掛けを行ってもよい。また、制御部１０は、測定対象者の顔画像から抽出した表情や色相に異常があれば、例えば「気分がよくないですか？」などと声掛けを行ってもよい。また、制御部１０は、顔画像から推定される、又は図示しないサーモグラフによって測定される顔の表面の温度に異常があれば、例えば「熱っぽいですか？」などと声掛けを行ってもよい。また、制御部１０は、測定対象者の呼吸状態に異常があれば、例えば「呼吸が苦しいですか？」などと声掛けを行ってもよい。
また、測定対象者から健康状態の異常を自覚する旨の返答があった場合、制御部１０はその旨を通知する情報を外部の装置に送信してもよい。
【００３０】
なお、制御部１０は、予め設定された測定対象者以外の人物に対しても上述した顔に応じた判定等を行い、異常があると判定した場合には声掛けを行ってもよい。
【００３１】
（ステップＳ１０３）
続いて、ステップＳ１０３において、制御部１０は、ステップＳ１０２において特定した測定対象者に近づくように走行部１４を制御する。
【００３２】
一態様において、制御部１０は、ステップＳ１０２において特定した測定対象者に応じた方向から、当該測定対象者に近づくように走行部１４を制御してもよい。例えば、測定対象者が半身麻痺である場合、制御部１０は、当該測定対象者の体に不自由の無い方向から近づくように走行部１４を制御してもよい。また、一態様において、測定対象者が隻眼である場合、制御部１０は、当該測定対象者の不自由が無い目の方向から近づくように走行部１４を制御してもよい。上記の構成によれば、測定対象者の不安感を抑制できることに加え、安全性が向上する。
【００３３】
なお、制御部１０は、必ずしも測定対象者ごとに近づく方向を制御しなくともよい。例えば、制御部１０は、測定対象者に対して一律で最短距離となる方向から当該測定対象者に近づくように走行部１４を制御する構成でもよい。
【００３４】
（ステップＳ１０４）
続いて、ステップＳ１０４において、制御部１０は、測定器１２が測定対象者に近づくようにアーム１１を制御する近接処理を実行する。好ましくは、制御部１０は、測定器１２が測定対象者の測定部位に近づくようにアーム１１を制御する。
【００３５】
一態様において、制御部１０は、ステップＳ１０１において特定した測定対象者に応じた位置に測定器１２が位置するように、アーム１１を制御する。例えば、制御部１０は、測定対象者に応じて異なる高さにアーム１１を差し出すように制御してもよい。また、一態様において、測定対象者が負傷している場合、制御部１０は、アーム１１が当該負傷箇所にぶつからないように避けてアーム１１を差し出すように制御してもよい。
【００３６】
このように、ロボット１が備える制御部１０は、近接処理において、測定対象者に応じた位置に測定器１２が位置するように、アーム１１を制御してもよい。上記の構成によれば、測定対象者ごとの好適な場所に測定器１２を移動させることができる。
【００３７】
なお、ステップＳ１０３におけるロボット１が測定対象者に近づく方向、及び本ステップにおけるアーム１１の差し出し位置は、毎回一律でなくともよい。例えば、制御部１０は、利用者の身体、性格、嗜好の事前情報や、測定対象者の姿勢、例えば、測定対象者がベッドに寝ているか車椅子に座っているか等の状態に応じて当該方向などを変化させてもよい。
【００３８】
なお、制御部１０は、必ずしも測定対象者ごとに対応する位置に測定器１２が位置するようにアーム１１を制御しなくともよい。例えば、制御部１０は、測定対象者に対して一律で、測定するバイタルサインの種別に応じた位置にアーム１１を制御してもよい。
【００３９】
また、図３のフローチャートでは、ステップＳ１０４は、ステップＳ１０３の後に行うようになっているが、ステップＳ１０３とステップＳ１０４とは、一部または全部を並行して行う構成であってもよい。
【００４０】
（ステップＳ１０５）
続いて、ステップＳ１０５において、制御部１０は、測定器１２に、測定対象者のバイタルサインを測定させる測定処理を実行する。また、制御部１０は、測定処理を行う場合に、身体を動かさないように当該測定対象者に対してアナウンスしてもよい。また、制御部１０は、アーム１１の一部を用いて、測定対象者が身体を動かさないように支えてもよい。そして、制御部１０は、測定処理の測定結果を、後程参照可能となるように記憶部１９に格納する。また、後述するように、制御部１０が通信部１８を介して、当該測定結果を外部の装置に送信する構成でもよい。また、ロボット１は、当該測定結果を例えば音声によって測定対象者に対して提示してもよい。
【００４１】
（ステップＳ１０６）
続いて、ステップＳ１０６において、制御部１０は、測定対象者に近づけていたアーム１１を元に戻し、測定対象者から離れるように走行部１４を制御する。以上が、図３のフローチャートに基づく処理の流れである。
【００４２】
上述したように、本実施形態に係るロボット１は、測定対象者のバイタルサインを測定する測定器１２が搭載されたアーム１１と、制御部１０と、備え、制御部１０は、測定器１２が測定対象者に近づくようにアーム１１を制御する近接処理と、近接処理の後、測定器１２に測定対象者のバイタルサインを測定させる測定処理と、を実行する。
【００４３】
上記の構成によれば、測定対象者の負担を軽減することができるロボット１を実現できる。また、上記の構成を備えるロボット１による計測は、測定対象者がリストセンサ等のウェアラブルデバイスを付帯するウェアラブル計測と比較して以下の利点がある。
【００４４】
（１）測定対象者がウェアラブルデバイスを着脱する必要が無い。
【００４５】
（２）顔の表情等、測定対象者の外観から得られる情報に応じた測定が容易である。
【００４６】
（３）刺激応答型の計測、例えばアームを差し出した場合の眼の動き、認知状態の計測等が容易である。
【００４７】
（４）物理的な計測、例えば、アームを握る握力、手先の到達範囲、又は腕の可動範囲等の計測が容易である。
【００４８】
（５）測定対象者の姿勢を変更させる誘導、例えば計測する腕の高さを胸の高さに引き上げる誘導等が容易である。
【００４９】
なお、制御部１０は、通信部１８を介してバイタルサインの測定結果、上述した顔色等の状態、及び後述する認知運動に関する測定結果等を、サーバや施設の職員が保持する端末等の外部の装置に送信してもよい。そして、当該サーバは、ロボット１から受信した当該測定結果を、例えばデータベース形式に集約して保存してもよい。
【００５０】
また、ロボット１から当該サーバに保存された情報を参照してもよい。例えば、当該サーバが、測定対象者の顔の特徴を示す情報等を保存し、制御部１０が、通信部１８を介して当該情報を参照する構成でも構わない。
【００５１】
〔実施形態１の変形例〕
検知部１３が、カメラに替わり測域センサ又は赤外線センサ等を備え、制御部１０は、当該センサの検出結果を参照して、測定対象者の位置を把握する構成でもよい。上記構成においては、制御部１０は、例えば、各人が所持する又は各人が所持する杖や車椅子等に備えられる、識別信号を発するビーコン、ＩＣタグ、ＡＲマーカのような機器や、人の声によって、測定対象者を識別してもよい。また、制御部１０は、それらの機器による識別と、上述した撮像画像による識別とを併用してもよい。
【００５２】
つまり、制御部１０は、上述した方法によって測定対象者を特定し、当該測定対象者に応じた方向から近づくように走行部１４を制御し、当該測定対象者に応じた近接処理を行っても構わない。
【００５３】
なお、本変形例における検知部１３が、カメラに替わり測域センサ又は赤外線センサ等を備える構成は、以降の実施形態に対しても適用可能である。
【００５４】
〔実施形態１の変形例２〕
ステップＳ１０１、Ｓ１０２の処理によって、例えば所定の時間以上、測定対象者が特定されない場合、或いは測定対象者が予め設定されていない場合には、例えばロボット１の巡回ルート上に位置する人物に対して、ステップＳ１０３以降の処理に相当する、バイタルサインの測定処理を実行し、且つ任意のタイミングで顔画像を取得して、後でバイタルサインの測定結果と当該顔画像とを手動で紐づけることが可能な構成でもよい。
【００５５】
なお、上述した実施形態１の変形例１、２は、後述する各実施形態に対しても適用可能である。
【００５６】
（アーム１１の構成例１）
アーム１１の構成例ついて図７及び図８を参照して説明する。図７の各図は、アーム１１が有する機構の一例を示す図である。図７に示すように、アーム１１は、ボールジョイント２２ａ、２２ｂ、ワイヤ２３、及び滑車２４を備えている。ボールジョイント２２ａ、２２ｂは、先端部分に球体状の形状を有し、アーム１１の関節として機能する。また、ボールジョイント２２ａ、２２ｂは、関節部分が動かないように固定化する機構を有する。また、当該機構の詳細については後述する。ワイヤ２３は、アーム１１の周囲に沿うように配置されているワイヤである。ワイヤ２３が、アーム１１の外部に位置する、図示しない牽引機構によって所定の方向に牽引されることにより、当該方向に応じてアーム１１の姿勢が変更される。滑車２４は、アーム１１の先端付近に配置された滑車であり、自身の周囲にワイヤ２３をかけることができる溝と、回転軸とを有する。
【００５７】
図７（ａ）は、ボールジョイント２２ａに対応する関節部分が固定化されてワイヤ２３の一方が矢印の方向に牽引された場合における動作を示している。また、図７（ｂ）は、ボールジョイント２２ｂに対応する関節部分が固定化されてワイヤ２３の一方が矢印の方向に牽引された場合における動作を示している。また、図７（ｃ）は、双方の関節部分が固定化されない状態でワイヤ２３の一方が矢印の方向に牽引された場合における動作を示している。
【００５８】
また、アーム１１に対して一定以上の負荷がかかった場合、ワイヤ２３が外れることによってアーム１１が脱力するような構成でもよい。これにより、安全性を向上させることができる。
【００５９】
次に、アーム１１の関節部分を固定化する機構について、図８を参照して説明する。図８の各図は、当該機構の一例を示す断面図である。図８に示すように、アーム１１の関節部分は、ボールジョイント２２、受け部２７、バネ２８、及びソレノイド２９を有している。
【００６０】
ここで、図８（ａ）は、関節部分が固定化された場合における動作を示している。具体的には、受け部２７が、バネ２８の作用によってボールジョイント２２を抑え込んで動かないように固定することによって、関節部分を固定化する。また、図８（ｂ）は、関節部分が固定化されない場合における動作を示している。具体的には、ソレノイド２９が、バネ２８の作用よりも強い力で受け部２７を引き寄せることによって、ボールジョイント２２と受け部２７との間の摩擦を解消し、関節部分を曲げることができるようにする。
【００６１】
なお、別の態様として、ソレノイド２９がプッシュソレノイドとして機能し、ソレノイド２９が受け部２７を、図８における上方に押すことによってボールジョイント２２を抑え込んで動かないように固定化する構成でもよい。
【００６２】
また、アーム１１の関節部分が、受け部２７、バネ２８およびソレノイド２９に替わり、超音波モータを備える構成でもよい。
【００６３】
上述したように、図７及び図８に例示したアーム１１は、複数の関節部分と、前記複数の関節部分のそれぞれについて固定化するか否かを制御可能な機構と、前記複数の関節部分のうち固定化されていない関節部分を曲げるワイヤ２３とを備えている。上記の構成によれば、アーム１１を軽量化し、少ないワイヤ数で多関節を制御することができる。
【００６４】
（アーム１１の構成例２）
アーム１１の構成例１においては、ソレノイド２９に対する制御を介してアーム１１の関節部分を固定化する機構について説明したが、関節として機能するボールジョイント２２を固定化する機構は、磁場の変化や電圧の印加などの外部刺激により特性を変化させる機能性流体を介してなされる構成でもよい。ここで、上述した機能性流体の一例としては、磁性流体およびＭＲ流体（Magneto Rheological Fluid）等が挙げられる。
【００６５】
例えば、粘性を可逆的に制御することができる機能性流体をボールジョイント２２の周囲の空間に充填し、当該機能性流体の粘性を上昇させてボールジョイント２２に対するブレーキとして作用させることにより、アーム１１の関節部分を固定化する機構を実現してもよい。本例の構成においても、アーム１１を軽量化し、少ないワイヤ数で多関節を制御することができる。
【００６６】
〔実施形態２〕
本発明の第２の実施形態について、図１、図３及び図４を参照して説明する。なお、説明の便宜上、上記実施形態にて説明した部材と同じ機能を有する部材については、同じ符号を付記し、その説明を繰り返さない。本実施形態においては、ロボットが、測定処理の前にアームの位置を調整する構成について説明する。
【００６７】
〔１．ロボット１の構成〕
本実施形態においても、図１に示す構成を用いる。
【００６８】
〔２．処理の流れ〕
以下、ロボット１が、測定処理の前にアーム１１の位置を調整する処理の流れについて、図１、図３及び図４を参照して、ステップごとに説明する。図４は、本実施形態に係る処理の流れを示すフローチャートである。
【００６９】
（ステップＳ１０１〜Ｓ１０３）
ステップＳ１０１〜Ｓ１０３においては実施形態１と同様の処理を行う。ステップＳ１０３の処理が実行されたのち、続いてステップＳ２０４の処理が実行される。
【００７０】
（ステップＳ２０４）
続いて、ステップＳ２０４において、制御部１０は、測定対象者が掴める位置までアーム１１を移動させる処理を行う。結果的に、測定器１２が測定対象者に近づくので、上記処理は、上述した近接処理であるとも解釈してよい。そして制御部１０は、測定対象者に対して、アーム１１の例えば先端部分の把持を促す旨のアナウンスを行う。
【００７１】
また、本ステップ又は以降の各ステップにおけるアナウンスにおいて、制御部１０は、当該アナウンスに対する測定対象者の反応を、認知運動に関する測定結果として記憶部１９に記録してもよい。例えば、制御部１０は、測定対象者が当該アナウンスに対する反応に所定の時間以上の時間を要するようであれば、認知運動に関する能力が低下していることを示す情報を、記憶部１９に記録するか、図示しないサーバに送信してもよい。
【００７２】
（ステップＳ２０５）
続いて、ステップＳ２０５において、制御部１０は、測定対象者がアーム１１を掴んだか否かの判定を行う。ここで、制御部１０は、アーム１１に対する荷重が加わった場合に、測定対象者がアーム１１を掴んだものと判定してもよい。又は、アーム１１自体に圧力センサが備えられており、制御部１０が当該圧力センサの検知結果を参照して当該判定を行ってもよい。なお、上述の圧力センサは、例えば力覚センサなどに置き換えられてもよい。
【００７３】
制御部１０が、測定対象者がアーム１１を掴んだものと判定した場合、続いてステップＳ２０６の処理が実行され、そうでない場合には、ステップＳ２０４におけるアナウンス処理を再度実行する。
【００７４】
また、本ステップにおいて、制御部１０は、測定対象者がアーム１１を掴む場合における握力、又は指先の動き等についての判定を行ってもよい。また、制御部１０は、探索的に測定対象者から遠い位置や、握りづらい位置にアーム１１を差出し、アーム１１が備える圧力センサの計測値を参照して、当該測定対象者のファンクショナルリーチ等の身体機能を計測してよい。そして制御部１０は、当該測定対象者の握力やファンクショナルリーチ等を示す情報を記憶部１９に記憶するか、図示しないサーバに送信してもよい。また、制御部１０は、当該情報、又は当該情報の推移を参照して、当該測定対象者におけるフレイルの発生又は進行についての予想を示す情報を記憶部１９に記憶するか、図示しないサーバに送信してもよい。また、制御部１０がフレイルの発生又は進行を予想する方法は特定の方法に限定されず、例えば、所定の身体機能を示す値が所定期間以上減少傾向にあれば、フレイルが発生し得るものと予想してもよい。
【００７５】
（ステップＳ２０６）
続いて、制御部１０は、アーム１１操作によって、測定対象者の四肢等を適宜押すことにより、測定対象者がより測定処理に適した姿勢となるように補助又は誘導する。そして、制御部１０は、測定器１２が測定対象者に近づくようにアーム１１を制御する。次いで制御部１０は、測定器１２の位置を調整するようにアーム１１を制御してもよい。ここで、上述した測定器１２の位置には、測定器１２の角度も含まれる。
【００７６】
例えば、一態様において、制御部１０は、測定対象者の手元までアーム１１を移動させたのち、測定器１２の位置を測定に適した位置、例えば血圧を測定する場合には測定対象者の心臓よりも高い位置に測定器１２が位置するようにアーム１１を調整し、測定処理を行ってもよい。
【００７７】
なお、上述の記載は、制御部１０は、血圧を測定する場合に測定対象者の心臓よりも高い位置に測定器１２を位置させなければならないことを意味しない。また、制御部１０は、測定器１２の位置に応じて血圧の測定結果を補正してもよい。
【００７８】
このように、制御部１０は、近接処理の後、測定処理の前に、測定器１２の位置を調整するようにアーム１１を制御する調整処理を実行してもよい。また、上記調整処理には、上述したような、制御部１０がアーム１１を介して測定対象者が姿勢変更するように補助又は誘導する処理も含まれる。
【００７９】
また、測定対象者が姿勢変更するように補助又は誘導する処理は、必ずしも測定対象者にアーム１１を掴ませることを伴う構成に限定されない。例えば一態様において、制御部１０がアナウンスしたのち、又はアナウンスしながら、アーム１１を測定対象者の脇の下に差し込み、姿勢変更を促す構成でもよい。また、制御部１０は、測定対象者の姿勢変更を行わない場合にも、測定処理の前に上述した調整処理をおこなってよい。
【００８０】
上記の構成によれば、測定器１２を、測定対象者に対してより好適な位置に移動させることができる。上述した処理が実行されたのち、続いてステップＳ１０５の処理が実行される。
【００８１】
（ステップＳ１０５、Ｓ１０６）
ステップＳ１０５、Ｓ１０６においては、実施形態１と同様の処理を行う。ただし、制御部１０は、ステップＳ１０６の開始前に適宜アナウンスしてアーム１１を制御し、測定対象者を元の姿勢に戻すように誘導してもよい。以上が図４のフローチャートに基づく処理の流れである。
【００８２】
〔実施形態３〕
本発明の第３の実施形態について、図１、図５及び図６を参照して説明する。なお、説明の便宜上、上記実施形態にて説明した部材と同じ機能を有する部材については、同じ符号を付記し、その説明を繰り返さない。本実施形態においては、所定の場所に位置するロボットが、測定器を測定対象者に差し出す構成について説明する。
【００８３】
〔１．ロボット１ａの構成〕
図５を参照して本実施形態の構成について説明する。図５は、本実施形態に係るロボット１ａの機能ブロック図である。ロボット１ａは、図１に示すロボット１が、走行部１４を備えない構成である。本実施形態においては、ロボット１ａは所定の位置に配置されており、測定対象者が、ロボット１ａの近傍に適宜移動してバイタルサインの測定処理が行われる。
【００８４】
〔２．処理の流れ〕
以下、ロボット１ａが測定器１２を差し出す処理の流れについて、図５及び図６を参照して、ステップごとに説明する。図６は、本実施形態に係る処理の流れを示すフローチャートである。
【００８５】
（ステップＳ３０１）
測定対象者は、ロボット１ａの近傍であって、少なくともアーム１１が届く範囲に適宜移動する。そして、ステップＳ３０１において、制御部１０は、検知部１３に測定対象者を撮像させる。なお、検知部１３による撮像はロボット１ａの稼働中、常に行われる構成でもよいし、測定対象者の操作や声等に起因して行われる構成でもよい。
【００８６】
また、本ステップ又は以降のタイミングにおいて、制御部１０は、測定対象者の顔色を判定してよい。具体的には、制御部１０は、検出した測定対象者の顔色と、記憶部１９に格納された、健康状態にある当該測定対象者の顔色、又は健康状態にない当該測定対象者の顔色とを比較し、判定結果を測定結果の一部として記憶部１９に格納してよい。
【００８７】
（ステップＳ３０２）
続いて、ステップＳ３０２において、制御部１０は、ステップＳ３０１における検知部１３の検知結果、つまり撮像画像を参照して、当該撮像画像内の測定対象者を識別して特定する。なお、当該撮像画像内の人物に関する情報が記憶部１９に格納されていない等の要因によって、制御部１０が測定対象者を特定できなかった場合には、図６のフローチャートに基づく処理を終了する。
【００８８】
（ステップＳ１０４、Ｓ１０５）
ステップＳ１０４、Ｓ１０５においては、実施形態１と同様の処理を行う。ステップＳ１０５の処理が実行されたのち、続いて、ステップＳ３０６の処理が実行される。
【００８９】
（ステップＳ３０６）
続いて、ステップＳ３０６において、制御部１０は、測定対象者に近づけていたアーム１１を元に戻すように制御する。以上が図６のフローチャートに基づく処理の流れである。なお、実施形態１で上述したように、ロボット１は、バイタルサインの測定結果等を、外部のサーバに送信する構成でもよい。
【００９０】
〔実施形態２の変形例〕
ロボット１ａは、記憶部１９に情報が格納されていない、つまり登録されていない人物がバイタルサインの測定を試みた場合、上述したように一連の処理を終了する構成でもよいし、バイタルサインの測定を行い、その場で測定結果を提示する構成でもよい。
【００９１】
〔ソフトウェアによる実現例〕
ロボット１（１ａ）の制御ブロック（特に制御部１０）は、集積回路（ＩＣチップ）等に形成された論理回路（ハードウェア）によって実現してもよいし、ソフトウェアによって実現してもよい。
【００９２】
後者の場合、ロボット１は、各機能を実現するソフトウェアであるプログラムの命令を実行するコンピュータを備えている。このコンピュータは、例えば１つ以上のプロセッサを備えていると共に、上記プログラムを記憶したコンピュータ読み取り可能な記録媒体を備えている。そして、上記コンピュータにおいて、上記プロセッサが上記プログラムを上記記録媒体から読み取って実行することにより、本発明の目的が達成される。上記プロセッサとしては、例えばＣＰＵ（Central Processing Unit）を用いることができる。上記記録媒体としては、「一時的でない有形の媒体」、例えば、ＲＯＭ（Read Only Memory）等の他、テープ、ディスク、カード、半導体メモリ、プログラマブルな論理回路などを用いることができる。また、上記プログラムを展開するＲＡＭ（Random Access Memory）などをさらに備えていてもよい。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【００９３】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【００９４】
〔まとめ〕
本発明の態様１に係るロボット（１、１ａ）は、測定対象者のバイタルサインを測定する測定器（１２）が搭載されたアーム（１１）と、制御部（１０）と、を備え、前記制御部は、前記測定器が前記測定対象者に近づくように前記アームを制御する近接処理と、前記近接処理の後、前記測定器に前記測定対象者のバイタルサインを測定させる測定処理と、を実行する構成である。上記の構成によれば、測定対象者の負担を軽減することができるロボットを実現できる。
【００９５】
本発明の態様２に係るロボットは、上記の態様１において、前記制御部は、前記近接処理において、前記測定対象者に応じた位置に前記測定器が位置するように、前記アームを制御する構成としてもよい。上記の構成によれば、測定対象者ごとの好適な場所に測定器を移動させることができる。
【００９６】
本発明の態様３に係るロボットは、上記の態様１又は２において、走行部（１４）を更に備え、前記制御部は、前記近接処理の前に、または、前記近接処理と並行して、前記測定対象者に応じた方向から前記測定対象者に近づくように前記走行部を制御する構成としてもよい。上記の構成によれば、測定対象者の不安感を抑制できることに加え、安全性が向上する。
【００９７】
本発明の態様４に係るロボットは、上記の態様１〜３のいずれか一項において、前記制御部は、前記近接処理の後、前記測定処理の前に、前記測定器の位置を調整するように前記アームを制御する調整処理を実行する構成としてもよい。上記の構成によれば、測定器を、測定対象者に対してより好適な位置に移動させることができる。
【００９８】
本発明の態様５に係るロボットは、上記の態様１〜４のいずれか一項において、前記アームは、複数の関節部分と、前記複数の関節部分のそれぞれについて固定化するか否かを制御可能な機構と、前記複数の関節部分のうち固定化されていない関節部分を曲げるワイヤ（２３）とを備えている。上記の構成によれば、アームを軽量化し、少ないワイヤ数で多関節を制御することができる。
【符号の説明】
【００９９】
１、１ａ  ロボット
１０  制御部
１１  アーム
１２  測定器
１３  検知部
１４  走行部
１９  記憶部
【図１】
2020121353.tif 000003
【図２】
2020121353.tif 000004
【図３】
2020121353.tif 000005
【図４】
2020121353.tif 000006
【図５】
2020121353.tif 000007
【図６】
2020121353.tif 000008
【図７】
2020121353.tif 000009
【図８】
2020121353.tif 000010